(57)【要約】【課題】それぞれが発光部を有する複数の発光モジュールを並べることによって発光装置を構成した場合に、各発光部で発生した熱の滞留を抑制する。【解決手段】画像表示を行う表示パネルと、表示パネルの背面に設けられ表示パネルの背面から光を照射するバックライト装置とを備え、立設させた状態で用いられる表示装置であって、バックライト装置は、表示装置を立設させた状態にて縦方向Ｖに延びるバックライトフレーム３１と、バックライトフレーム３１の縦方向Ｖに併設される複数の発光モジュール４０ａ、４０ｂとを含んでおり、例えば発光モジュール４０ａは、表示装置を立設させた状態にて下方から上方に向けて発光する発光部４１と、上方に向かうに従いバックライトフレーム３１から遠ざかる方向に傾斜する傾斜面を有し、発光部４１からの光を表示パネルに向けて反射する反射板４４とを備える。【選択図】図８
2009259548.tif 000002
【特許請求の範囲】
【請求項１】
画像表示を行う表示パネルと、当該表示パネルの背面に設けられ当該表示パネルの背面から光を照射するバックライト装置とを備え、立設させた状態で用いられる表示装置であって、
前記バックライト装置は、
前記表示装置を立設させた状態にて縦方向に延びるフレームと、
前記フレームの縦方向に併設される複数の発光モジュールとを備え、
前記発光モジュールは、
前記表示装置を立設させた状態にて下方から上方に向けて光を照射する発光部と、
上方に向かうに従い前記表示パネルに近づく方向に傾斜する傾斜面を有し、前記発光部からの光を当該表示パネルに向けて反射する反射部材と
を備えたことを特徴とする表示装置。
【請求項２】
前記発光部は、前記縦方向と交差する方向に配列された複数の固体発光素子を有することを特徴とする請求項１記載の表示装置。
【請求項３】
前記発光部は、表面に複数の発光素子が取り付けられた板状基板を備え、
前記発光モジュールは、
前記板状基板の側面に接触して当該板状基板を立設させ、当該板状基板と電気的に接続した状態で前記発光素子を上方に向けて配置させる配線基板をさらに含むことを特徴とする請求項１記載の表示装置。
【請求項４】
前記表示パネルからみて前記反射部材の背後側に前記配線基板を配置することを特徴とする請求項３記載の表示装置。
【請求項５】
前記反射部材は、
前記発光部の置かれた位置から上方に向かって前記表示パネルの面と平行に配置される第１反射部と、
前記第１反射部の上方の端部から上方に向かって前記表示パネルに近づく側に傾斜して配置される第２反射部と
を備えることを特徴とする請求項１記載の表示装置。
【請求項６】
前記発光モジュールは、前記表示パネルからみて前記発光部の手前側に配置され、当該発光部から当該表示パネルへと向かう光を遮る遮光部材をさらに備えることを特徴とする請求項１記載の表示装置。
【請求項７】
立設させた状態で用いられる発光装置であって、
前記発光装置を立設させた状態にて縦方向に延びるフレームと、
前記フレームの縦方向に併設される複数の発光モジュールとを備え、
前記発光モジュールは、
前記発光装置を立設させた状態にて下方から上方に向けて光を照射する発光部と、
上方に向かうに従い前記フレームから遠ざかる方向に傾斜する傾斜面を有し、当該発光部からの光を当該フレームとは逆側に向けて反射する反射部材と
を備えたことを特徴とする発光装置。
【請求項８】
前記発光部は、表面に複数の発光素子が取り付けられた板状基板を備え、
前記発光モジュールは、前記板状基板の側面に接触して当該板状基板を立設させ、当該板状基板と電気的に接続した状態で前記発光素子を上方に向けて配置させる配線基板をさらに含むことを特徴とする請求項７記載の発光装置。
【発明の詳細な説明】
【技術分野】
【０００１】
本発明は、画像を表示する表示装置および発光装置に関する。
【背景技術】
【０００２】
例えば液晶テレビや液晶モニタに代表される液晶表示装置などの表示装置では、表示パネルの背面から光を照射するために、バックライト装置と呼ばれる発光装置が採用されている。
この種のバックライト装置として、例えば液晶パネルの背面に複数の光源を配置したものが存在する。そして、このようなバックライト装置として、液晶パネルの背面側に複数の線状の光源を並べて配置するとともに、隣接する２つの光源間に、液晶パネルに近い側の面が遠い側の面よりも大きく設定された台形状の導光板を設け、台形状に形成される導光板の一方の楔状の収納空間内にこの導光板の傾斜面に光を照射する光源を取り付け、また、この導光板の他方の楔状の収納空間内に隣接する他の導光板の傾斜面に光を照射する他の光源から排出される熱を排出するための熱伝導部材を取り付ける技術が提案されている(特許文献１参照。)。
【０００３】
【特許文献１】特開２００５−３２７６６４号公報
【発明の開示】
【発明が解決しようとする課題】
【０００４】
ところで、バックライト装置から照射される光の光量を安定させるためには、光源で発生した熱の放出効率を高めることが好ましく、例えば上述した熱伝導部材以外に、光源から直接空気中にも熱を放出させることが好ましい。
しかしながら、例えば導光板が存在しているような場合には、光源で発生した熱が導光板によって遮られることになり、熱が抜けにくくなってしまう。また、導光板以外であっても、光源の近傍で熱を滞留させる部材や滞留させる構造を採用した場合には、同様に熱が抜けにくくなってしまう。
【０００５】
本発明は、それぞれが発光部を有する複数の発光モジュールを並べることによって発光装置を構成した場合に、各発光部で発生した熱の滞留を抑制することを目的とする。
【課題を解決するための手段】
【０００６】
かかる目的のもと、本発明は、画像表示を行う表示パネルと、表示パネルの背面に設けられ表示パネルの背面から光を照射するバックライト装置とを備え、立設させた状態で用いられる表示装置であって、バックライト装置は、表示装置を立設させた状態にて縦方向に延びるフレームと、フレームの縦方向に併設される複数の発光モジュールとを備え、発光モジュールは、表示装置を立設させた状態にて下方から上方に向けて光を照射する発光部と、上方に向かうに従い表示パネルに近づく方向に傾斜する傾斜面を有し、発光部からの光を表示パネルに向けて反射する反射部材とを備えたことを特徴としている。
【０００７】
このような表示装置において、発光部は、縦方向と交差する方向に配列された複数の固体発光素子を有することを特徴とすることができる。また、発光部は、表面に複数の発光素子が取り付けられた板状基板を備え、発光モジュールは、板状基板の側面に接触して板状基板を立設させ、板状基板と電気的に接続した状態で発光素子を上方に向けて配置させる配線基板をさらに含むことを特徴とすることができる。この場合に、表示パネルからみて反射部材の背後側に配線基板を配置することを特徴とすることができる。さらに、反射部材は、発光部の置かれた位置から上方に向かって表示パネルの面と平行に配置される第１反射部と、第１反射部の上方の端部から上方に向かって表示パネルに近づく側に傾斜して配置される第２反射部とを備えることを特徴とすることができる。そして、発光モジュールは、表示パネルからみて発光部の手前側に配置され、発光部から表示パネルへと向かう光を遮る遮光部材をさらに備えることを特徴とすることができる。
【０００８】
また、他の観点から捉えると、本発明は、立設させた状態で用いられる発光装置であって、発光装置を立設させた状態にて縦方向に延びるフレームと、フレームの縦方向に併設される複数の発光モジュールとを備え、発光モジュールは、発光装置を立設させた状態にて下方から上方に向けて光を照射する発光部と、上方に向かうに従いフレームから遠ざかる方向に傾斜する傾斜面を有し、発光部からの光をフレームとは逆側に向けて反射する反射部材とを備えたことを特徴としている。
【０００９】
このような発光装置において、発光部は、表面に複数の発光素子が取り付けられた板状基板を備え、発光モジュールは、板状基板の側面に接触して板状基板を立設させ、板状基板と電気的に接続した状態で発光素子を上方に向けて配置させる配線基板をさらに含むことを特徴とすることができる。
【発明の効果】
【００１０】
本発明によれば、それぞれが発光部を有する複数の発光モジュールを並べて発光装置を構成した場合に、各発光部で発生した熱の滞留を抑制することができる。
【発明を実施するための最良の形態】
【００１１】
以下、添付図面を参照して、本発明の実施の形態について詳細に説明する。
図１は本実施の形態が適用される液晶表示装置の全体構成を示す図である。
この液晶表示装置は、液晶表示モジュール２０と、この液晶表示モジュール２０の背面側（図１では下側）に設けられるバックライト装置１０とを備えている。なお、この液晶表示装置は、実際には立てて使用されることになるが、図１には、液晶表示装置を使用する際の縦方向Ｖと横方向Ｈとを矢印で示している。なお、本実施の形態に係る液晶表示装置では、縦方向Ｖよりも横方向Ｈの方が大きい横長形状を有しているが、縦長形状の構成としてもよい。
【００１２】
これらのうち、バックライト装置１０は、液晶表示モジュール２０に向けて光を照射する光源装置１１と、可視光に対し光透過性を有する光学フィルムの積層体からなり、面全体を均一な明るさとするために光を散乱・拡散させる拡散板（板またはフィルム）１２と、前方への集光効果を持たせた回折格子フィルムであるプリズムシート１３、１４とを備えている。また、バックライト装置１０には、必要に応じて、輝度を向上させるための拡散・反射型の輝度向上フィルム１５が備えられる。
【００１３】
一方、液晶表示モジュール２０は、２枚のガラス基板により液晶が挟まれて構成される表示パネルとしての液晶パネル２１と、この液晶パネル２１の各々のガラス基板に積層され、光波の振動を所定の方向に制限するための偏光板２２、２３とを備えている。更に、この液晶表示モジュール２０には、図示しない駆動用ＬＳＩなどの周辺部材も装着される。
【００１４】
液晶パネル２１は、図示しない各種構成要素を含んで構成されている。例えば、２枚のガラス基板に、図示しない表示電極、薄膜トランジスタ（ＴＦＴ：Thin Film Transistor）などのアクティブ素子、液晶、スペーサ、シール剤、配向膜、共通電極、保護膜、カラーフィルタ等が設けられている。
なお、バックライト装置１０の構成単位は任意に選択される。例えば、光源装置１１だけの単位にて「バックライト装置」と呼び、拡散板１２、プリズムシート１３、１４、輝度向上フィルム１５などを含まない流通形態もあり得る。
【００１５】
図２は、光源装置１１の構成を説明するための図であり、光源装置１１を図１の上側から見た上面図を示している。本実施の形態では、液晶表示モジュール２０の背面直下に光源装置１１を配置するバックライト構造を採用している。また、本実施の形態に係るバックライト装置１０は、後述するように所謂導光板（ライトガイド）を備えていない。
【００１６】
光源装置１１は、図中手前側に向かって開口するフレームの一例としてのバックライトフレーム３１と、バックライトフレーム３１に収容され、図中手前側に向けて光を出射する発光装置３２と、図示しない外部の電源から発光装置３２に電力を供給する給電ケーブル３３とを備えている。
【００１７】
バックライトフレーム３１は、例えばアルミニウムやマグネシウム、鉄、またはそれらを含む金属合金などで形成された筐体構造を有している。このような筐体構造として、バックライトフレーム３１は、液晶表示モジュール２０の大きさに対応して設けられ、縦方向Ｖおよび横方向Ｈに延びる背面部と、この背面部の四隅を囲う側面部を備えている。そして、その筐体構造の側面部内側には、例えば白色のポリエステルフィルムなどが貼られ、リフレクタとしても機能するようになっている。なお、ここでいう「縦方向Ｖに延びる」とは、液晶表示装置を立てた際に、バックライトフレーム３１の背面部が上下方向に高さを有するという意味である。
【００１８】
発光装置３２は、それぞれが横方向Ｈに沿って延び、且つ、縦方向Ｖに複数（本実施の形態では５つ）配列に配置された発光モジュール４０ａ〜４０ｅを有している。ここで、図１に示す液晶表示装置を立てた場合において、発光モジュール４０ａは最も鉛直方向下部（Ｂｏｔｔｏｍ側）に、また、発光モジュール４０ｅは最も鉛直方向上部（Ｔｏｐ側）に、それぞれ位置するようになっている。また、発光モジュール４０ａ〜４０ｅは、後述するように、それぞれがＢｏｔｔｏｍ側からＴｏｐ側に向けて光を出射し、且つ、出射した光を図中手前側に向けて反射するように構成されている。
給電ケーブル３３は、折り処理が可能なフレキシブルフラットケーブルにて構成されており、バックライトフレーム３１の内側であって図中右側の部位に設けられている。そして、給電ケーブル３３の一端側は光源装置１１の外部から受電を行うためのコネクタ（図示せず）に、他端側は発光モジュール４０ａ〜４０ｅに設けられたコネクタ４３に、それぞれ接続されている。
【００１９】
続いて、図２〜図４を参照しつつ、発光モジュール４０ａ〜４０ｅの構成を、発光モジュール４０ａを例にあげて説明する。
図３は発光モジュール４０ａの斜視図を、図４（ａ）は発光モジュール４０ａを図２と同じ方向から見た上面図を、図４（ｂ）は図４（ａ）に示す発光モジュール４０ａのIVB−IVB断面図を、それぞれ示している。
【００２０】
発光モジュール４０ａは、横方向Ｈに沿って並べられた複数の発光ダイオード（以下の説明ではＬＥＤと呼ぶ：図示せず）を有し、縦方向ＶすなわちＢｏｔｔｏｍ側からＴｏｐ側に向けて光を発する発光部４１と、発光部４１が取り付けられて発光部４１を支持するとともに発光部４１の複数のＬＥＤに給電を行う電気経路を具備する配線基板４２とを備える。ここで、配線基板４２は、横方向Ｈに沿って延びる本体部および本体部の一端部側（図３では手前側）において縦方向Ｖに延びる突出部を備えたＬ字状の形状を有している。そして、発光部４１は、配線基板４２のＢｏｔｔｏｍ側に取り付けられている。ただし、本実施の形態では、発光部４１の取り付け位置よりもＢｏｔｔｏｍ側まで配線基板４２がわずかに突出している。そして、発光モジュール４０ａは、配線基板４２の突出部の横方向Ｈの端部側に取り付けられ、配線基板４２に設けられた電気経路と給電ケーブル３３とを接続する２つのコネクタ４３をさらに備える。
【００２１】
また、発光モジュール４０ａは、配線基板４２における発光部４１の取り付け面側に固定され、発光部４１から出射された光を拡散板１２（図１参照）に向けて反射する反射部材の一例としての反射板４４と、配線基板４２との間で発光部４１を挟むように発光部４１に固定して取り付けられ、発光部４１から直接拡散板１２（図１参照）へと向かう光を遮光する遮光部材の一例としての遮光板４５とをさらに備える。
【００２２】
反射板４４は、矩形状の第１反射部４４ａと、この第１反射部４４ａの一方の長辺側から傾斜して延設される矩形状の第２反射部４４ｂとを備えている。ここで、第１反射部４４ａは、配線基板４２の発光部４１の取り付け面側において、発光部４１よりもＴｏｐ側であってその長辺が横方向Ｈに沿うように配置される。これにより、発光モジュール４０ａでは、配線基板４２と第１反射部４４ａとが対向し、両者が接着にて固定されている。また、第２反射部４４ｂは、第１反射部４４ａのＴｏｐ側から発光部４１の光の経路を遮る側に傾斜して配置される。これにより、図４（ｂ）に示すように、破線で示すバックライトフレーム３１に発光モジュール４０ａを取り付けた際に、バックライトフレーム３１と反射板４４の第２反射部４４ｂとの間に、Ｔｏｐ側が開口する楔状の空間Ｓが形成される。なお、バックライトフレーム３１は、発光モジュール４０ａを取り付けた際に配線基板４２が埋め込まれる溝を備えている。
また、遮光板４５は、矩形状の形状を有しており、反射板４４の第１反射部４４ａと平行に取り付けられている。そして、遮光板４５の発光部４１と対向する側の面には、白色の反射層が形成されている。
【００２３】
そして、発光部４１は、横方向Ｈに沿って一列に並べられた４２個の発光ユニット５０を有している。そして、各発光ユニット５０は、それぞれ、横方向Ｈに沿って一列に並べられた４個のＬＥＤを備えている。なお、図２および図４（ａ）において、発光部４１（発光ユニット５０）は、遮光板４５の裏側に隠れている。
【００２４】
では次に、発光ユニット５０の構成について説明する。
図５（ａ）は発光ユニット５０をＴｏｐ側から見た正面図を、図５（ｃ）は発光ユニット５０をＢｏｔｔｏｍ側から見た背面図を、図５（ｄ）は発光ユニット５０の側面図を、それぞれ示している。また、図５（ｂ）は、発光ユニット５０を構成する板状基板５１をＴｏｐ側から見た正面図を示している。
【００２５】
発光ユニット５０は、矩形状の板状基板５１と、板状基板５１のＴｏｐ側の面（以下の説明では表面と呼ぶ）に並べて取り付けられる４個のＬＥＤ５２とを備える。また、発光ユニット５０は、板状基板５１の表面に形成される白色のレジスト膜５３と、板状基板５１の表面に設けられた４個のＬＥＤ５２のそれぞれを覆う４個の砲弾型のレンズ５４とをさらに備える。そして、固体発光素子の一例としての４個のＬＥＤ５２は、図５（ａ）において左から、赤色光を発する赤色ＬＥＤ５２Ｒ、緑色光を発する第１緑色ＬＥＤ５２Ｇａ、青色光を発する青色ＬＥＤ５２Ｂおよび緑色光を発する第２緑色ＬＥＤ５２Ｇｂとなっている。このような配置を行うことで、複数の発光ユニット５０を一列に並べて発光部４１を構成した際に、赤、緑、青、緑、赤、緑、青、緑、赤、…、の順でＬＥＤ５２が配列されることになる。すなわち、一つおきに配列される緑の間に、赤、青が交互に配置される。
【００２６】
板状基板５１の表面には、図５（ｂ）において左から順に、赤用表面正電極６１ａ、赤用ダイパッド７１、赤用表面負電極６２ａ、第１緑用表面正電極６３ａ、第１緑用ダイパッド７２、第１緑用表面負電極６４ａ、青用表面正電極６５ａ、青用ダイパッド７３、青用表面負電極６６ａ、第２緑用表面正電極６７ａ、第２緑用ダイパッド７４、第２緑用表面負電極６８ａが設けられている。そして、図５（ａ）に示すように、赤用ダイパッド７１には赤色ＬＥＤ５２Ｒが、第１緑用ダイパッド７２には第１緑色ＬＥＤ５２Ｇａが、青用ダイパッド７３には青色ＬＥＤ５２Ｂが、第２緑用ダイパッド７４には第２緑色ＬＥＤ５２Ｇｂが、それぞれ取り付けられる。また、赤色ＬＥＤ５２Ｒは赤用表面正電極６１ａおよび赤用表面負電極６２ａと、第１緑色ＬＥＤ５２Ｇａは第１緑用表面正電極６３ａおよび第１緑用表面負電極６４ａと、青色ＬＥＤ５２Ｂは青用表面正電極６５ａおよび青用表面負電極６６ａと、第２緑色ＬＥＤ５２Ｇｂは第２緑用表面正電極６７ａおよび第２緑用表面負電極６８ａと、それぞれ金属ワイヤ（図示せず）を介して電気的に接続される。
【００２７】
一方、板状基板５１のＢｏｔｔｏｍ側の面（以下の説明では裏面と呼ぶ）には、図５（ｃ）において右から順に、赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂが設けられている。なお、本実施の形態に係る発光ユニット５０では、板状基板５１の裏面側にレジスト膜の形成を行っておらず、その結果、各電極の全面が外部に露出した状態となっている。そして、これら赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂの横方向Ｈに対応する幅Ｗは、全て一定となっている。
【００２８】
これらのうち、赤用表面正電極６１ａおよび赤用裏面正電極６１ｂは金属スルーホール６１ｃを介して、赤用表面負電極６２ａおよび赤用裏面負電極６２ｂは金属スルーホール６２ｃを介して、それぞれ電気的に接続されている。また、第１緑用表面正電極６３ａおよび第１緑用裏面正電極６３ｂは金属スルーホール６３ｃを介して、第１緑用表面負電極６４ａおよび第１緑用裏面負電極６４ｂは金属スルーホール６４ｃを介して、それぞれ電気的に接続されている。さらに、青用表面正電極６５ａおよび青用裏面正電極６５ｂは金属スルーホール６５ｃを介して、青用表面負電極６６ａおよび青用裏面負電極６６ｂは金属スルーホール６６ｃを介して、それぞれ電気的に接続されている。さらにまた、第２緑用表面正電極６７ａおよび第２緑用裏面正電極６７ｂは金属スルーホール６７ｃを介して、第２緑用表面負電極６８ａおよび第２緑用裏面負電極６８ｂは金属スルーホール６８ｃを介して、それぞれ電気的に接続されている。
【００２９】
ここで、本実施の形態では、第１緑用裏面負電極６４ｂ、青用裏面負電極６６ｂ、第２緑用裏面負電極６８ｂがそれぞれＬ字状の形状を有しており、それぞれの突出部が第１緑用ダイパッド７２、青用ダイパッド７３、第２緑用ダイパッド７４の真裏の位置まで延びている。そして、第１緑用ダイパッド７２および第１緑用裏面負電極６４ｂは金属スルーホール７２ａを介して、また、青用ダイパッド７３および青用裏面負電極６６ｂは金属スルーホール７３ａを介して、さらに、第２緑用ダイパッド７４および第２緑用裏面負電極６８ｂは金属スルーホール７４ａを介して、それぞれ電気的且つ熱的に接続されている。なお、これらの金属スルーホールについては、穴内に金属が充填されていてもよいし、穴壁にめっきが施されていてもよい。
【００３０】
また、板状基板５１は、上述した表面および裏面の他に４つの側面を有しているが、これらのうち、板状基板５１の長辺側の一側面は、発光モジュール４０ａ〜４０ｅを構成する際に、配線基板４２（図４（ｂ）参照）と接触する配線基板取り付け面５１ａとなる。一方、配線基板取り付け面５１ａの反対側の一側面は、発光モジュール４０ａ〜４０ｅを構成する際に、遮光板４５（図４（ｂ）参照）と接触する遮光板取り付け面５１ｂとなる。本実施の形態では、板状基板５１における各金属スルーホールの形成部位に近い側が遮光板取り付け面５１ｂとなり、各金属スルーホールの形成部位から遠い側が配線基板取り付け面５１ａとなる。
【００３１】
次に、配線基板４２について説明を行う。ここで、図６（ａ）は配線基板４２の発光部４１（発光ユニット５０）の取り付け面（以下の説明では表面と呼ぶ）を示す正面図、図６（ｂ）は配線基板４２の反射板４４の取り付け面（以下の説明では裏面と呼ぶ）を示す背面図である。
【００３２】
配線基板４２は、絶縁体からなる基部と、基部上に導電体にて構成された電気経路と、基部および電気経路を覆うように設けられたレジスト層とを備えている。なお、この配線基板４２は所謂ＦＰＣ（Flexible printed circuits）で構成されている。
【００３３】
配線基板４２の表面には、Ｂｏｔｔｏｍ側であって横方向Ｈに沿って形成された給電電極群８０と、配線基板４２のＬ字状の突出部側に形成された２つのコネクタ用電極８９と、給電電極群８０よりもＴｏｐ側であって横方向Ｈに沿って形成された緑用放熱パッド９１とが設けられている。これら給電電極群８０、コネクタ用電極８９および緑用放熱パッド９１は、配線基板４２の表面側に設けられた導電体（金属層）がレジスト層で覆われないことによって露出している。
【００３４】
ここで、給電電極群８０は、図６（ａ）に拡大して示すように、赤用正電極８１、赤用負電極８２、第１緑用正電極８３、第１緑用負電極８４、青用正電極８５、青用負電極８６、第２緑用正電極８７および第２緑用負電極８８の８電極を１組とし、これを横方向Ｈに沿って４２組配置することで構成されている。また、２つのコネクタ用電極８９は、図３等に示す２つのコネクタ４３の取り付けに使用される。さらに、緑用放熱パッド９１は、配線基板４２の内部において４２個の第１緑用負電極８４および４２個の第２緑用負電極８８と電気的に接続されている。そして、緑用放熱パッド９１は、図３等に示す発光モジュール４０ａを構成した際に、熱伝導性を有する接着剤を介して反射板４４に接触するようになっている。
【００３５】
一方、配線基板４２の裏面には、Ｔｏｐ側であって横方向Ｈに沿って形成された青用放熱パッド９２が設けられている。この青用放熱パッド９２も、配線基板４２の裏面側に設けられた金属層がレジスト層で覆われないことによって露出している。
ここで、青用放熱パッド９２は、配線基板４２の内部において４２個の青用負電極８６と電気的に接続されている。そして、青用放熱パッド９２は、図３等に示す発光モジュール４０ａを構成し、図４（ｂ）に示すバックライトフレーム３１に取り付けを行った際に、熱伝導性を有する接着剤を介してバックライトフレーム３１の背面部と接触するようになっている。
【００３６】
そして、発光モジュール４０ａ〜４０ｅを構成するに際して、図５に示す板状基板５１を備えた発光ユニット５０は、配線基板４２の表面に対し、配線基板取り付け面５１ａを対向させた状態で立てて取り付けられる。このとき、発光ユニット５０の板状基板５１に設けられた赤用裏面正電極６１ｂ、赤用裏面負電極６２ｂは、配線基板４２に設けられた赤用正電極８１、赤用負電極８２にそれぞれはんだ付けされる。また、板状基板５１に設けられた第１緑用裏面正電極６３ｂ、第１緑用裏面負電極６４ｂは、配線基板４２に設けられた第１緑用正電極８３、第１緑用負電極８４にそれぞれはんだ付けされる。そして、板状基板５１に設けられた他の電極も、それぞれ、配線基板４２に設けられた対応電極にそれぞれはんだ付けされる。これにより、配線基板４２に対して各発光ユニット５０が位置決めされ、固定される。このとき、発光ユニット５０の板状基板５１の裏面に設けられた各電極（赤用裏面正電極６１ｂ、赤用裏面負電極６２ｂ、第１緑用裏面正電極６３ｂ、第１緑用裏面負電極６４ｂ、青用裏面正電極６５ｂ、青用裏面負電極６６ｂ、第２緑用裏面正電極６７ｂ、第２緑用裏面負電極６８ｂ）の幅Ｗが同一となっているため、はんだを介して発光ユニット５０に加えられる力は横方向Ｈにおいて均等となり、配線基板４２に対する発光ユニット５０の位置ずれが抑制されることになる。
【００３７】
続いて、反射板４４について説明を行う。ここで、図７（ａ）は反射板４４を図２の上部側から見た上面図を、図７（ｂ）は反射板４４の側面図を、それぞれ示している。
反射板４４は、例えばプラスティック等の樹脂を母材として、その表面すなわち発光部４１と対向する側の面に銀蒸着フィルム等による正反射（鏡面反射）加工が施された部材であり、例えば（株）麗光製のルイルミラーを用いることができる。なお、反射板４４として折り曲げ加工が施された金属製のミラーを用いることもできる。
【００３８】
また、第１反射部４４ａの表面側において、第１反射部４４ａのＢｏｔｔｏｍ側すなわち発光部４１と最も近い側には、横方向Ｈに沿って吸収部材１０１が設けられる。本実施の形態では、吸収部材１０１が黒色インクの印刷で構成されているが、例えばモノトーンの紙を貼り付けるようにしてもよい。また、第１反射部４４ａの吸収部材１０１よりもＴｏｐ側には、発光部４１から入射してくる光を拡散反射（乱反射）させる円状のドット１０２が複数形成されている。
【００３９】
一方、第２反射部４４ｂの表面側すなわち傾斜面において、第２反射部４４ｂのＢｏｔｔｏｍ側には、発光部４１から入射してくる光を拡散反射（乱反射）させる円状のドット１０３が複数形成されている。ここで、ドット１０２およびドット１０３は、反射板４４に白色インクを印刷することによって形成される。なお、ドット１０３は、第２反射部４４ｂのドット１０３の形成位置よりもＴｏｐ側には形成されない。また、第１反射部４４ａに形成されるドット１０２および第２反射部４４ｂに形成されるドット１０３の形状、大きさ、配置については、図７に示したもの以外であってもよく、適宜変更することができる。
【００４０】
また、この反射板４４では、第１反射部４４ａの面の延長線と第２反射部４４ｂとのなす角度θが約１５°となるように設定されている。この角度θは、１０°以上２０°以下とすることが好ましい。
【００４１】
では次に、図１〜図７を参照して、本実施の形態に係るバックライト装置１０の発光動作について説明する。
図示しない電源により、給電ケーブル３３を介して発光装置３２を構成する発光モジュール４０ａ〜４０ｅに電圧がかけられる。すると、例えば発光モジュール４０ａでは、発光部４１を構成する各発光ユニット５０に設けられた赤色ＬＥＤ５２Ｒ、第１緑色ＬＥＤ５２Ｇａ、青色ＬＥＤ５２Ｂ、第２緑色ＬＥＤ５２Ｇｂに、それぞれ電流が流れる。その結果、各発光ユニット５０の赤色ＬＥＤ５２Ｒ、第１緑色ＬＥＤ５２Ｇａ、青色ＬＥＤ５２Ｂ、第２緑色ＬＥＤ５２Ｇｂから、Ｒ（赤色）、Ｇ（緑色）、Ｂ（青色）の光がＴｏｐ側に向けて出射される。そして、各発光ユニット５０からＴｏｐ側に向けて出射されたＲＧＢの光は、バックライトフレーム３１内を進むうちに混色され、白色光となる。そして、混色された白色光は反射板４４によって反射され、拡散板１２側へと向かう。なお、他の発光モジュール４０ｂ〜４０ｅにおいても、同様の手順によって出射、混色された白色光が拡散板１２側へと向かう。そして、拡散板１２に入射した白色光は、拡散板１２でさらに混色および輝度の均一化がなされた後、プリズムシート１３、１４および輝度向上フィルム１５を透過し、液晶表示モジュール２０に向けて出射される。
【００４２】
拡散光の性質上、発光モジュール４０ａ〜４０ｅにおいて、発光部４１（各発光ユニット５０）に近い側すなわちＢｏｔｔｏｍ側の領域では光の強度が高くなり、発光部４１から遠い側すなわちＴｏｐ側の領域では光の強度が低くなる。これに対し、本実施の形態では、反射板４４のうち、発光部４１に近い側には発光部４１の光軸方向と反射面がほぼ平行な第１反射部４４ａを位置させ、拡散板１２に向かう反射光量を小さくするようにし、発光部４１から遠い側には発光部４１の光軸方向に対して傾斜する第２反射部４４ｂを位置させ、拡散板１２に向かう反射光量を大きくするようにしている。また、第１反射部４４ａに設けられたドット１０２および第２反射部４４ｂに設けられたドット１０３の面積の関係を適宜設定することにより、各発光モジュール４０ａ〜４０ｅから出射される光の光量分布を均一化している。
【００４３】
また、このような発光動作に伴い、各発光ユニット５０に設けられた赤色ＬＥＤ５２Ｒ、第１緑色ＬＥＤ５２Ｇａ、青色ＬＥＤ５２Ｂ、第２緑色ＬＥＤ５２Ｇｂでは熱が発生する。このとき、例えば第１緑色ＬＥＤ５２Ｇａで発生した熱は、第１緑用ダイパッド７２から金属スルーホール７２ａを介して第１緑用裏面負電極６４ｂへと流れ、そこからさらに第１緑用負電極８４および緑用放熱パッド９１を介して反射板４４へと流れる。また、例えば青色ＬＥＤ５２Ｂで発生した熱は、青用ダイパッド７３から金属用スルーホール７３ａを介して青用裏面負電極６６ｂへと流れ、そこからさらに青用負電極８６および青用放熱パッド９２を介してバックライトフレーム３１へと流れる。さらに、例えば第２緑色ＬＥＤ５２Ｇｂで発生した熱は、第２緑用ダイパッド７４から金属用スルーホール７４ａを介して第２緑用裏面負電極６８ｂへと流れ、そこからさらに第２緑用負電極８８および緑用放熱パッド９１を介して反射板４４へと流れる。
【００４４】
ただし、赤色ＬＥＤ５２Ｒで発生した熱は、このような放熱経路が存在しないため、板状基板５１から外部に放出される。また、他の第１緑色ＬＥＤ５２Ｇａ、青色ＬＥＤ５２Ｂおよび第２緑色ＬＥＤ５２Ｇｂで発生した熱も、全てが配線基板４２側に逃げるのではなく、一部は板状基板５１から外部に放出される。
【００４５】
ここで、図８（ａ）は、本実施の形態に係る光源装置１１において、バックライトフレーム３１に、発光モジュール４０ａおよび発光モジュール４０ｂを取り付けた状態を示す図である。なお、図８（ａ）は、図２に示す光源装置１１の縦方向Ｖの断面に対応している。
【００４６】
本実施の形態では、縦方向Ｖに立てられたバックライトフレーム３１に対し、発光モジュール４０ａ〜４０ｅの発光部４１がＢｏｔｔｏｍ側に、また、反射板４４の第２反射部４４ｂがＴｏｐ側に、それぞれ位置するように、発光モジュール４０ａ〜４０ｅの取り付けがなされる。これにより、例えば発光モジュール４０ｂの発光部４１は、この発光モジュール４０ｂよりもＢｏｔｔｏｍ側に配置される発光モジュール４０ａの第２反射部４４ｂとバックライトフレーム３１との間に形成される空間Ｓの上部に位置する。また、発光モジュール４０ｂと発光モジュール４０ｃとの間、発光モジュール４０ｃと発光モジュール４０ｄとの間、そして発光モジュール４０ｄと発光モジュール４０ｅとの間においても、同様の位置関係が構成される。
【００４７】
したがって、例えば発光モジュール４０ａを構成する赤色ＬＥＤ５２Ｒ、第１緑色ＬＥＤ５２Ｇａ、青色ＬＥＤ５２Ｂ、第２緑色ＬＥＤ５２Ｇｂ（図示せず）から、発光部４１（具体的には板状基板５１）を介して直接外部に放出される熱は、図中に破線矢印で示したように、反射板４４を構成する第１反射部４４ａおよび第２反射部４４ｂの反射面に沿って上昇していくことになる。
【００４８】
これに対し、図８（ｂ）は本実施の形態とは逆の構成、すなわち、縦方向Ｖに立てられたバックライトフレーム３１に対し、発光モジュール４０ａ〜４０ｅの発光部４１がＴｏｐ側に、また、反射板４４の第２反射部４４ｂがＢｏｔｔｏｍ側に、それぞれ位置するように発光モジュール４０ａ〜４０ｅの取り付けを行った場合の熱の流れを示している。
【００４９】
このような構成を採用した場合、例えば発光モジュール４０ａの発光部４１は、この発光モジュール４０ａよりもＴｏｐ側に配置される発光モジュール４０ｂの第２反射部４４ｂとバックライトフレーム３１との間に形成される空間Ｓの下部に配置されることになり、しかも空間ＳがＢｏｔｔｏｍ側に向けて開口することになる。このとき、発光モジュール４０ａの発光部４１から放出される熱は、Ｔｏｐ側に隣接する発光モジュール４０ｂの第２反射部４４ｂとバックライトフレーム３１との間に形成される空間Ｓ内にこもりやすくなり、赤色ＬＥＤ５２Ｒ、第１緑色ＬＥＤ５２Ｇａ、青色ＬＥＤ５２Ｂ、第２緑色ＬＥＤ５２Ｇｂの温度上昇が抑制されにくくなる。その結果、ＬＥＤ５２の発光光率の低下を招くことになってしまう。
【００５０】
したがって、本実施の形態の構成を採用することにより、発光部４１から排出された熱が空間Ｓにこもりにくくなり、赤色ＬＥＤ５２Ｒ、第１緑色ＬＥＤ５２Ｇａ、青色ＬＥＤ５２Ｂ、第２緑色ＬＥＤ５２Ｇｂの温度上昇が抑制されやすくなることが理解される。
【００５１】
なお、本実施の形態では、ＲＧＢの３色のＬＥＤ５２を用いて白色光を生成するように構成していたが、これに限られるものではない。例えば全てのＬＥＤ５２を青色発光ダイオードで構成し、レンズ５４に青色光を黄色光に変換する蛍光体を添加しておくことにより、白色光を生成するようにしてもよい。また、レンズ５４に青色光を緑色光および赤色光に変換する蛍光体を添加するようにしてもよい。さらに、例えば全てのＬＥＤ５２を紫外発光ダイオードで構成し、レンズ５４に紫外光を青色光、緑色光および赤色光に変換する蛍光体を添加する構成を採用してもよい。
【００５２】
また、本実施の形態では、発光ユニット５０を構成する各ＬＥＤ５２に個別にレンズ５４を形成するようにしていたが、これに限られるものではなく、例えば発光ユニット５０を構成する各ＬＥＤ５２に一括してレンズ５４を形成するようにしてもかまわない。
【図面の簡単な説明】
【００５３】
【図１】本実施の形態が適用される液晶表示装置の構成を示す図である。
【図２】バックライト装置における光源装置の構成を説明するための図である。
【図３】光源装置における発光モジュールの斜視図である。
【図４】（ａ）は発光モジュールの上面図、（ｂ）は（ａ）に示す発光モジュールのIVB−IVB断面図である。
【図５】（ａ）〜（ｄ）は発光モジュールにおける発光ユニットの構成を説明するための図である。
【図６】（ａ）、（ｂ）は発光モジュールにおける配線基板の構成を説明するための図である。
【図７】（ａ）、（ｂ）は発光モジュールにおける反射板の構成を説明するための図である。
【図８】（ａ）、（ｂ）はバックライト装置における熱の流れを説明するための図である。
【符号の説明】
【００５４】
１０…バックライト装置、１１…光源装置、２０…液晶表示モジュール、３１…バックライトフレーム、３２…発光装置、４０ａ〜４０ｅ…発光モジュール、４１…発光部、４２…配線基板、４３…コネクタ、４４…反射板、４４ａ…第１反射部、４４ｂ…第２反射部、４５…遮光板、５０…発光ユニット、５１…板状基板、５２Ｒ…赤色ＬＥＤ、５２Ｇａ…第１緑色ＬＥＤ、５２Ｇｂ…第２緑色ＬＥＤ、５２Ｂ…青色ＬＥＤ、５４…レンズ、８０…給電電極群、Ｖ…縦方向、Ｈ…横方向、Ｓ…空間、Ｗ…電極の幅
【図１】
2009259548.tif 000003
【図２】
2009259548.tif 000004
【図３】
2009259548.tif 000005
【図４】
2009259548.tif 000006
【図５】
2009259548.tif 000007
【図６】
2009259548.tif 000008
【図７】
2009259548.tif 000009
【図８】
2009259548.tif 000010